(57)【要約】【課題】電動圧縮機の小型化を図る。【解決手段】冷媒を圧縮し吐出させる圧縮部１と、この圧縮部を回転軸の回転によって駆動するモータ７と、前記圧縮部１及びモータ７をそれぞれ独立して収納可能なケーシングとを備え、前記各ケーシングは片側が開放した略有底円筒状の第一、第二ケーシング１０，１１で構成し、第一のケーシング１０にモータ７を配置するとともに第二のケーシング１１に圧縮部１を配置し、かつ、第二のケーシング１１の開放端とは反対側の底面に前記回転軸を回転保持する主軸受け１３を配置し、前記第一のケーシング１０の開放端側に前記第二のケーシング１１の底面側を係合して一体化した構成としてあり、前記モータ及び圧縮部を収納する第一および第二のケーシングの大きさはそれぞれ内蔵される部材の大きさに応じてサイズを最適化できるので、小型の電動圧縮機を提供できる。【選択図】図１
2013130100.tif 000002
【特許請求の範囲】
【請求項１】
冷媒を圧縮し吐出させる圧縮部と、この圧縮部を回転軸の回転によって駆動するモータと、前記圧縮部及びモータをそれぞれ独立して収納可能なケーシングとを備え、前記各ケーシングは片側が開放した略有底円筒状の第一、第二ケーシングで構成し、第一のケーシングにモータを配置するとともに第二のケーシングに圧縮部を配置し、かつ、第二のケーシングの開放端とは反対側の底面に前記回転軸を回転保持する主軸受けを配置し、前記第一のケーシングの開放端側に前記第二のケーシングの底面側を係合して一体化した電動圧縮機。
【請求項２】
第二ケーシングの底面は円筒状部に一体形成するとともに、当該底面に回転軸保持用の主軸受けを配置したことを特徴とする請求項１記載の電動圧縮機。
【請求項３】
第二ケーシングの開放端側はモータを制御するインバータケースで閉塞したことを特徴とする請求項１または２に記載の電動圧縮機。
【発明の詳細な説明】
【技術分野】
【０００１】
本発明は電動圧縮機に関するものである。
【背景技術】
【０００２】
従来、電動圧縮機はモータ等により圧縮部を駆動して冷媒を圧縮するようになっており、その圧縮部とモータ等は一つの一端が開放された略円筒状ケーシング内に収納して構成してあった（例えば、特許文献１参照。）
図２は特許文献１に示された従来の電動圧縮機の構成を示す断面図である。一端が開放された本体ケーシング１００の底面側にまずモータ１０１を配置し、モータ１０１収納後に主軸受部材１０２を本体ケーシング１００の内周面に焼嵌め等の方法にて係合し、更に主軸受部材１０２より開放端側に前記モータ１０１によって駆動される圧縮部１０３を設け、ケーシング開放端は吸入口１０４を有する吸入口ケース１０５で覆って構成してある。
【先行技術文献】
【特許文献】
【０００３】
【特許文献１】特開２００５−２５６７００号公報
【発明の概要】
【発明が解決しようとする課題】
【０００４】
このような従来の電動圧縮機の構成では、本体ケーシング１００の内周面の内径は収納される各種部材、すなわちモータ１０１、主軸受部材１０２、圧縮部１０３の大きさに規制を受け、最も外径の大きな部品、この場合ではモータ１０１によって決定される。また、一つの本体ケーシング内に複数の部品を順次収納する構成であるから、各部品の収納を容易にするため、本体ケーシング１００は開放端側ほど大径となる構成となり、奥側、すなわち底面側が最も小径となるのであるが、この奥側、すなわち底面側に最も大径のモータ１０１が位置していること、及び部品のサイズに合わせて本体ケーシング１００の内径を独立に小さくすることはできないこと、等から、本体ケーシング１００が大型化する、という課題があった。
【０００５】
本発明は前記従来の課題を解決するもので、内蔵される部材の大きさに応じてサイズを最適化可能な小型の電動圧縮機を提供することを目的とする。
【課題を解決するための手段】
【０００６】
本発明は前記従来の課題を解決するため、冷媒を圧縮し吐出させる圧縮部と、この圧縮部を回転軸の回転によって駆動するモータと、前記圧縮部及びモータをそれぞれ独立して収納可能なケーシングとを備え、前記各ケーシングは片側が開放した略有底円筒状の第一、第二ケーシングで構成し、第一のケーシングにモータを配置するとともに第二のケーシングに圧縮部を配置し、かつ、第二のケーシングの開放端とは反対側の底面に前記回転軸を回転保持する主軸受けを配置し、前記第一のケーシングの開放端側に前記第二のケーシングの底面側を係合して一体化した構成としてある。
【０００７】
これによって、第一、第二ケーシングはそれぞれ内蔵される部材の大きさに応じてサイズを最適化でき、小型の電動圧縮機を提供することができる。
【発明の効果】
【０００８】
本発明は圧縮部やモータ等の内蔵物の大きさに合わせて第一および第二のケーシングを
最適化でき、小型の電動圧縮機を提供することが可能となる。
【図面の簡単な説明】
【０００９】
【図１】本発明の実施形態１における電動圧縮機の断面図
【図２】従来の電動圧縮機を示す断面図
【発明を実施するための形態】
【００１０】
第１の発明は、冷媒を圧縮し吐出させる圧縮部と、この圧縮部を回転軸の回転によって駆動するモータと、前記圧縮部及びモータをそれぞれ独立して収納可能なケーシングとを備え、前記各ケーシングは片側が開放した略有底円筒状の第一、第二ケーシングで構成し、第一のケーシングにモータを配置するとともに第二のケーシングに圧縮部を配置し、かつ、第二のケーシングの開放端とは反対側の底面に前記回転軸を回転保持する主軸受けを配置し、前記第一のケーシングの開放端側に前記第二のケーシングの底面側を係合して一体化した構成としてあり、前記モータ及び圧縮部を収納する第一および第二のケーシングの大きさはそれぞれ独立に設定、すなわちモータより小型の主軸受けや圧縮部を収納する第二ケーシングは小径化できる。
【００１１】
第２の発明は、第１の発明において、第二ケーシングの底面は円筒状部と一体形成するとともに、当該底面壁に回転軸保持用の主軸受けを配置した構成としてあり、主軸受けを保持する底面部分を別部材で構成する必要がなく構成の簡素化が図れるとともに回転軸保持精度を向上することもできる。
【００１２】
第３の発明は、第１、第２発明において、第二ケーシングの開放端側はモータを制御するインバータケースで閉塞した構成としてあり、インバータケースを一体化したことによる本体ケーシングの径方向の大型化を防止することができる。
【００１３】
以下、本発明の実施の形態について、図面を参照しながら説明する。なお、この実施の形態によって本発明が限定されるものではない。また、本発明では圧縮部として一対のスクロール部材が旋回運動することにより冷媒を圧縮するスクロール圧縮機を例にして説明をするが、他の圧縮形態であっても同一の効果が得られることは容易に考えられる。
【００１４】
（実施の形態１）
図１は本発明の実施の形態における電動圧縮機を示す。図において、圧縮部１は渦巻状に構成された固定スクロール２と同渦巻き状に構成された可動スクロール３を対向配置して構成してあり、可動スクロール３はその背面に旋回軸受け４を収納可能なボス部３ａを有している。回転軸５は偏芯ブッシュ６を有し、回転軸５の回転運動を偏芯ブッシュ６を介して可動スクロール３に伝え、図示はしないが自転防止機構にて旋回運動することにより、流体を圧縮している。
【００１５】
前記圧縮部１を駆動するモータ７は固定子８と前記回転軸５を有する回転子９とで構成してある。
【００１６】
前記固定スクロール２及び可動スクロール３で構成される圧縮部１及び回転軸５を回転させるための固定子８及び回転子９〜なるモータ７はそれぞれ図１に示す各ケーシング１０，１１に収納されている。
【００１７】
この各ケーシング１０，１１はそれぞれ一端が開放した有底筒状に形成してある。一端が開放された第一のケーシング１０はその底面に回転軸５の回転を支持する副軸受け１２を収納する部分１０ａが一体形成してあり、その内径部より小さい外径部を有した固定子８を収納できる構成をとっている。更に一端が開放された第二のケーシング１１の底面に
は回転軸５の回転を支持する主軸受け１３を収納する部分１１ａを一体形成し、回転軸５の先端部が主軸受け１３より軸方向に突出する形で収納されている。第一のケーシング１０と第二のケーシング１１は第一のケーシング１０の開放端側内径部に前記第二のケーシング１１の底面側を係合して一体化してある。この一体化のための係合は各種の方法が考えられ、例えば溶接等の係合手段で第一のケーシング１０の開放端側内径部に前記第二のケーシング１１の底面側外周部を一体化したり、第一のケーシング１０の開放端側内径部に前記第二のケーシング１１の底面側外周部を間にシーリング材を介して嵌挿し、これら両ケーシングをボルト結合するなどすればよい。
【００１８】
前記第二のケーシング１１の固定スクロール２の背面部側は固定子８に電気信号を与えるインバータ制御部（図示せず）を収納するインバータケース１４で閉塞し、インバータケース１４の開放端側はインバータケース１４内への異物侵入を防止するためのインバータカバー１５で閉塞されている。
【００１９】
以上の構成によるとモータ７と圧縮部１はそれぞれ独立した第一のケーシング１０及び第二のケーシング１１に収納が可能となるため、内蔵部の大きさに合わせて個別にケーシングのサイズを最適化可能となり、大型化を招くことなく内蔵物のサイズに合わせた最適なサイズの電動圧縮機を提供することが可能となる。
【００２０】
また、モータ７の回転軸５を保持する主軸受け１３を取り付ける第二ケーシング１１の底面は第二ケーシング１１の円筒状部に一体形成してあるから、主軸受け１３取り付け用の底面板部材を別途用意する必要がなく、構成の簡素化が図れるとともに、別部材を介在させることなく主軸受け１３を保持するので副軸受け１２との軸線一致精度を高いものとすることができる。
【００２１】
さらに、第二ケーシング１１の固定スクロール２背面部側はインバータケース１４で閉塞して、インバータ制御部を装備させているので、インバータ制御部を装備させるにあたってケーシングの外径が大型化するのを抑制することができる。
【００２２】
なお、上記実施の形態では各ケーシング１０，１１の底面は円筒状部と一体構成のもので説明したが、円筒状部とは別体の底面板材を形成してこれらを連結することによって有底筒状としてもよいものである。
【産業上の利用可能性】
【００２３】
以上のように本発明は、内蔵物の大きさに合わせて第一および第二のケーシングの大きさを最適化でき、小型の電動圧縮機を提供することが可能となる。
【符号の説明】
【００２４】
１  圧縮部
２  固定スクロール
３  可動スクロール
４  旋回軸受け
５  回転軸
６  偏芯ブッシュ
７  モータ
８  固定子
９  回転子
１０  第一のケーシング
１１  第二のケーシング
１２  副軸受け
１３  主軸受け
１４  インバータケース
１５  インバータカバー
【図１】
2013130100.tif 000003
【図２】
2013130100.tif 000004